(57)【特許請求の範囲】
【請求項１】
外装ケース(3) 内にノズル(2a)付き中容器(2) が収容された二重構造の接着剤容器に装着するキャップ(1) であって、
該キャップ(1) は、外装ケース(3) の上部側に係合可能なキャップ本体(11)と、ピン(12a) 付き押込体(12)とからなること、
このうちキャップ本体(11)にはその頂面から下方に向けて縦断面視で凹形の窪み(11a) が設けられ、その凹形の窪み(11a) の底部には中容器(2) のノズル(2a)の先端側が挿通可能な孔径を有する孔部(11b) が設けられ、かつその孔部(11b) は下側が大径となる笠状に形成されていること、
このとき、凹形の窪み(11a) の底部全体を厚くするか、底部の中央領域のみを下方側に向けて厚くし、そこに孔部(11b) を笠状に形成してあること、
前記のピン(12a) 付き押込体(12)は、キャップ本体(11)の凹形の窪み(11a) にスライド可能に内嵌されるものであること、および、
キャップ本体(11)の凹形の窪み(11a) の内面、またはピン(12a) 付き押込体(12)の外周面に、両者間の抵抗を増す抵抗部(R) を設け、凹形の窪み(11a) に対し押込体(12)を２段押し込み可能に構成したこと、
を特徴とする接着剤容器のキャップ構造。
【発明の詳細な説明】
【０００１】
【発明の属する技術分野】
本発明は、外装ケース内にノズル付き中容器が収容された二重構造の接着剤容器に装着するキャップの構造に関するものである。
【０００２】
【従来の技術】
シアノアクリレート系瞬間接着剤の容器の一つとして、ノズル付きの中容器に瞬間接着剤を充填して封入した後、これを外装ケース内に収容し、さらに外装ケースの上部側にキャップを係合したものが知られている。
【０００３】
すなわち、特公平７−４９３０８号公報（特開平５−２９４３７１号公報）には、接着剤溶液を充填した柔弾性ボトル中容器と、その中容器の上端滴出嘴口を外部に突出して収納するスクイズ型柔弾性外装ケース本体と、冠帽キャップとからなるワンプッシュスクイズ式の二重構造型接着剤包装容器が示されている。この構造の容器は、中容器が外装ケース本体で保護されている上、吐出操作を外装ケース本体の挟圧により行うので、ソフトなタッチで吐出を必要量だけ行うことができるという利点がある。（なお、この公報の出願人が有する一切の技術および営業は、現在では本出願人が包括的に引き継いでいる。）
【０００４】
上記公報の容器においては、冠帽キャップの好適な例の一つとして、陥設した凹嵌部にピン付き開穴部材を嵌脱自在に嵌着した構造のものがあげられている。この容器の初めての使用に当っては、まず冠帽キャップを指で摘んで外装ケース本体から外し、ついでピン付き開穴部材のピンにより中容器の滴出嘴口を突差して破封する。接着剤の滴出作業を中断するときは、開穴部材のピンを中容器の滴出嘴口に押し込んでおけば密封が図られる。使用後の後片付けに際しては、冠帽キャップを外装ケース本体にきっちりと押し込めばよい。ピン付き開穴部材は、冠帽キャップの凹嵌部に嵌着しておく。
【０００５】
【発明が解決しようとする課題】
上に述べた特公平７−４９３０８号公報の容器において、その冠帽キャップに着目すると、ピン付き開穴部材を冠帽キャップの凹嵌部に嵌着することができるので、破封使用以前または使用中の如何を問わずピン付き開穴部材の紛失を防止できる上、ピンによる手指の突き刺しの危険が防止できるので安全であるという利点がある。
【０００６】
しかしながら、容器の初めての使用に当っての中容器の滴出嘴口の破封は、ピン付き開穴部材を指でつまみ、目視しながら上手に滴出嘴口に突き差して破封しなければならないところ、そのような細かい作業は煩わしく、特に中高年になって裸視力が低下してきた人には負担となる。また、使用後に時間が経過すると滴出嘴口の個所で接着剤が固化してくることがあるので、次回以降の使用時に接着剤の吐出性が悪いときは、中容器の滴出嘴口を再度ピン付き開穴部材のピンで突き差して破封しなければならないという煩わしさがある。
【０００７】
本発明は、このような背景下において、外装ケース内にノズル付き中容器が収容された二重構造の接着剤容器の良さをそのまま生かしながら、その容器のキャップに工夫を加えることにより、最初の使用時のピンによる開封を著しく容易にすると共に、使用後の保管中のノズル先端部における接着剤の固化も防止するようにした接着剤容器のキャップ構造を提供することを目的とするものである。
【０００８】
【課題を解決するための手段】
本発明の接着剤容器のキャップ構造は、
外装ケース(3) 内にノズル(2a)付き中容器(2) が収容された二重構造の接着剤容器に装着するキャップ(1) であって、
該キャップ(1) は、外装ケース(3) の上部側に係合可能なキャップ本体(11)と、ピン(12a) 付き押込体(12)とからなること、
このうちキャップ本体(11)にはその頂面から下方に向けて縦断面視で凹形の窪み(11a) が設けられ、その凹形の窪み(11a) の底部には中容器(2) のノズル(2a)の先端側が挿通可能な孔径を有する孔部(11b) が設けられ、かつその孔部(11b) は下側が大径となる笠状に形成されていること、
このとき、凹形の窪み(11a) の底部全体を厚くするか、底部の中央領域のみを下方側に向けて厚くし、そこに孔部(11b) を笠状に形成してあること、
前記のピン(12a) 付き押込体(12)は、キャップ本体(11)の凹形の窪み(11a) にスライド可能に内嵌されるものであること、および、
キャップ本体(11)の凹形の窪み(11a) の内面、またはピン(12a) 付き押込体(12)の外周面に、両者間の抵抗を増す抵抗部(R) を設け、凹形の窪み(11a) に対し押込体(12)を２段押し込み可能に構成したこと、
を特徴とするものである。
【０００９】
【発明の実施の形態】
以下本発明を詳細に説明する。
【００１０】
〈基本構造〉
本発明においては、外装ケース(3) 内にノズル(2a)付き中容器(2) が収容された二重構造の接着剤容器の外装ケース(3) の上部側に、後述のキャップ(1) を装着する。二重構造の接着剤容器の典型例は、先に従来の技術の項で述べた特公平７−４９３０８号公報に記載の容器である。
【００１１】
〈ノズル(2a)付き中容器(2) 、接着剤〉
ノズル(2a)付き中容器(2) は、適度の弾性を有する柔軟なボトル状の容器であることが好ましく、その基本形状は、円筒形の胴部(2c)の一端側（上部側とする）が首部(2b)となり、その首部(2b)の先端からノズル(2a)が突出しているような形にするのが通常である。首部(2b)は、先端側が先細りの円錐筒状であってもよく、先端側にいくほど段階的に小径になっていくものであってもよい。中容器(2) のノズル(2a)の先端は盲にしておく。円筒形の胴部(2c)の他端側（下部側とする）は、たとえば、中容器(2) に接着剤を充填してから底キャップをはめ込んで封止することにより底部(2d)に形成される。
【００１２】
ノズル(2a)付き中容器(2) に充填する接着剤としては、好適には瞬間接着剤があげられる。瞬間接着剤の代表例は、２−シアノアクリレートを主体とし、必要に応じ適宜の添加剤を配合した２−シアノアクリレート系瞬間接着剤であり、そのほか紫外線硬化型の瞬間接着剤も用いられる。
【００１３】
ノズル(2a)付き中容器(2) の材質は、そこに充填される接着剤に冒されずかつその接着剤の硬化性に影響を与えがたいものが用いられる。接着剤が２−シアノアクリレート系瞬間接着剤である場合には、ポリエチレンが最適である。
【００１４】
〈外装ケース(3) 〉
外装ケース(3) は、適度の弾性を有する柔軟なプラスチックス（たとえばポリエチレンやポリプロピレン）の成形品とすることが好ましい。外装ケース(3) は、内部を透視できるように無色透明または着色透明とすることが好ましいが、耐侯性の点から不透明にすることもある。内部を透視できるようにするためには、窓を設置する方法も採用できる。
【００１５】
外装ケース(3) は、ノズル(2a)付き中容器(2) のノズル(2a)の先端側を除く全体を包んで保護するためのものである。外装ケース(3) は、胴部(3c)の一端側（上部側とする）が首部(3b)およびカバーヘッド(3a)となり、他端側（下部側とする）が後部(3d)となった構造のものであることが好ましい。このときの各部は、適宜の形状とすることができる。外装ケース(3) には、万年筆のクリップのようなクリップを付設することもできる。
【００１６】
しかしながら、中容器(2) が円筒形であるときは、胴部(3c)を楕円筒形とし、首部(3b)は胴部(3b)よりも小径で円筒形、カバーヘッド(3a)は円錐筒形、後部(3d)は胴部(3c)よりも小径で円筒形とすることが多い。カバーヘッド(3a)からは、中容器(2) のノズル(2a)が突き出るようにする。楕円筒形の胴部(3c)の両脇の対応個所には、指で胴部(3c)を押圧変形できるように１対の窪み(3e), (3e)を設けることが好ましい。このときの窪み(3e), (3e)の形状は、円形、楕円形、長円形などとするのが、操作上および外観上の観点から好都合である。後部(3d)の内部を中空として、そこに乾燥剤を収納することもできる。
【００１７】
〈キャップ(1) 〉
キャップ(1) は、外装ケース(3) の上部側に係合可能なキャップ本体(11)と、ピン(12a) 付き押込体(12)とからなる。
【００１８】
このうちキャップ本体(11)には、その頂面から下方に向けて縦断面視で凹形の窪み(11a) が設けられる。凹形の窪み(11a) の形状は縦断面視で円筒状とするのが通常であるが、場合によっては楕円筒状や角筒状とすることもできる。
【００１９】
凹形の窪み(11a) の底部には、中容器(2) のノズル(2a)の先端側が挿通可能な孔径を有する孔部(11b) が設けられる。そしてその孔部(11b) は、下側が大径となる笠状に（縦切断端面視で「ハ」の字のように）形成される。さらにこの孔部(11b) については、凹形の窪み(11a) の底部全体を厚くするか、底部の中央領域のみを下方側に向けて厚くし、そこに孔部(11b) を笠状に形成するようにする。この場合、後者の方が肉厚が均一になるので有利である。
【００２０】
一方、ピン(12a) 付き押込体(12)は、キャップ本体(11)の凹形の窪み(11a) にスライド可能に内嵌されるようにする。この場合、押込体(12)のスライドは可能であるが、凹形の窪み(11a) に内嵌した押込体(12)が弛まないようにし、また押し込み操作時に押込体(12)がぐらつかないで真直に押し込みできるように設計する。
【００２１】
ピン(12a) 付き押込体(12)の胴部(12b) の形状は、凹形の窪み(11a) の形状に合わせるようにする。たとえば凹形の窪み(11a) が円筒状であるときは、押込体(12)の胴部(12b) も円筒状とする。押込体(12)の頭部(12c) は、胴部(12b) よりもやや大きい鍔部に形成し、指先でのつまみを容易にすることが好ましい。
【００２２】
押込体(12)の胴部(12b) の下半は中空円筒状に形成し、押込体(12)の成形時に埋め込んだピン(12a) の尖端がその中空部を経て胴部(12b) の下端近くに達するか、あるいはその下端から若干下方に顔を出すようにすることが望ましい。
【００２３】
そして、キャップ本体(11)の凹形の窪み(11a) の内面、またはピン(12a) 付き押込体(12)の外周面には、両者間の抵抗を増す抵抗部(R) を設け、凹形の窪み(11a) に対し押込体(12)を２段押し込み可能に構成する。このときの抵抗部(R) の設置態様の例は、次の如くである。
【００２４】
・凹形の窪み(11a) の下部側の内面に数条の凸条を縦方向に形成する。
・凹形の窪み(11a) の下部側をごくわずかに狭径にする。
・押込体(12)の上部側の外周面に数条の凸条を縦方向に形成する。
・押込体(12)の上部側をごくわずか太径にする。
【００２５】
〈作用〉
本発明においては、接着剤を充填し封止したノズル(2a)付き中容器(2) を外装ケース(3) 内に収容し、その外装ケース(3) の上部側にキャップ(1) を係合したものが商品形態となる。組み立て作業はごく簡単である。キャップ(1) のキャップ本体(11)の凹形の窪み(11a) には、ピン(12a) 付き押込体(12)を押し込んでおく。
【００２６】
キャップ本体(11)の凹形の窪み(11a) の内面、またはピン(12a) 付き押込体(12)の外周面には、両者間の抵抗を増す抵抗部(R) を設けてあるので、２段押し込みが可能となっている。そのため、組み立て作業時に押込体(12)を一定の力で押し込むと抵抗部(R) の所で自然に係止できる。このとき、中容器(2) のノズル(2a)は、キャップ本体(11)の凹形の窪み(11a) に設けてある孔部(11b) から上方に顔を出しているものの、押込体(12)のピン(12a) の尖端とは少し離れた状態にある。
【００２７】
そして最初の使用にあたり、押込体(12)をさらに押し込むと、中容器(2) のノズル(2a)の先端にピン(12a) が突き刺さり、ノズル(2a)先端が開口される。中容器(2) のノズル(2a)は、先に述べたようにキャップ本体(11)の凹形の窪み(11a) に設けてある孔部(11b) から上方に顔を出しているので位置決めがなされており（つまりセンター合わせがなされており）、また押込体(12)はキャップ本体(11)の凹形の窪み(11a) 内を真直にスライド降下するので、ピン(12a) によるノズル(2a)先端の開口は確実になされる。
【００２８】
ノズル(2a)先端の開口後、外装ケース(3) からキャップ(1) を外し、外装ケース(3) を指で挟んでその胴部(3c)を押せば、ソフトなタッチで中容器(2) のノズル(2a)から必要量の接着剤が吐出される。胴部(3c)に対する押圧を止めれば、中容器(2) のノズル(2a)から出かかっている接着剤は中容器(2) の復元力により中容器(2) 内に自然に引退するので、垂れを生じない。
【００２９】
使用後は、外装ケース(3) にキャップ(1) を係合する。このときには、中容器(2) のノズル(2a)の先端開口部がキャップ(1) の押込体(12)のピン(12a) で塞がれた状態となるので、密閉が保たれ、次回以降の使用に際しノズル(2a)先端部で接着剤が固化することがない。２回目以降の使用は、単にキャップ(1) を外して同様の操作を行えばよい。
【００３０】
ピン(12a) 付き押込体(12)は、常にキャップ本体(11)の凹形の窪み(11a) に内嵌されたままの状態にあるので、ピン(12a) 付き押込体(12)が紛失することはなく、またピン(12a) で手指の突き刺すような危険が皆無となる。
【００３１】
また中容器(2) は外装ケース(3) でカバーされているので、流通時や保管時に不測に大きい外圧が加わったり鋭利な物が当ったりすることがあっても、何の問題も生じない。
【００３２】
【実施例】
次に実施例をあげて本発明をさらに説明する。
【００３３】
実施例１
図１は本発明のキャップ(1) を係合した状態の接着剤容器の正面図であり、一部を断面図で示してある。図２は図１の接着剤容器の側面図である。
【００３４】
図３は図１の接着剤容器の要部の拡大断面図であり、（イ）は押込体(12)を途中まで押し込んだ状態、（ロ）は押込体(12)を完全に押し込んだ状態を示してある。図４はピン(12a) 付き押込体(12)の一例を示した縦断面図である。
【００３５】
図５はキャップ本体(11)の正面図である。図６は図５のキャップ本体(11)の縦断面図である。図７は図６のキャップ本体(11)の凹形の窪み(11a) 部分の拡大図である。図８は図７の凹形の窪み(11a) 部分を白抜き矢印方向から見たときの抵抗部(R) の位置を示した説明図である。
【００３６】
図の接着剤容器は、基本的には、ノズル(2a)付き中容器(2) 、外装ケース(3) 、そしてキャップ(1) の３部材からなる。
【００３７】
ノズル(2a)付き中容器(2) は、ポリエチレンでできた適度の弾性を有する柔軟なボトル容器からなり、内部を透視することができる。この中容器(2) は、円筒形の胴部(2c)の上部側が段階的に小径になっていく首部(2b)となり、その首部(2b)の先端からノズル(2a)が突出した構造を有している。ノズル(2a)の先端は盲にしてある。
【００３８】
中容器(2) には、接着剤の一例としてのエチル２−シアノアクリレート系の瞬間接着剤が胴部(2c)の下部側から充填される。充填後は、底キャップをはめ込んで封止することにより底部(2d)に形成する。
【００３９】
外装ケース(3) は、ポリエチレンでできた適度の弾性を有する柔軟なプラスチックスの成形品で形成されており、内部を透視することができる。この外装ケース(3) は、楕円筒形の胴部(3c)の上部側が、それよりも小径で円筒形の首部(3b)となり、その首部(3b)に円錐筒形に近い形のカバーヘッド(3a)が装着され、胴部(3c)の下部側がそれよりも小径で円筒形の後部(3d)となっている。楕円筒形の胴部(3c)の両脇の対応個所には、指で胴部(3c)を押圧変形できるように１対の長円形の窪み(3e), (3e)を設けてある。なお円筒形の後部(3d)は中空部になっているので、乾燥剤を収納することができる。
【００４０】
キャップ(1) は、キャップ本体(11)と、ピン(12a) 付き押込体(12)とで構成されている。キャップ本体(11)は上部側が若干すぼまった円筒状になっており、その下部側は外装ケース(3) の上部側に係合可能となっている。
【００４１】
キャップ本体(11)には、その頂面から下方に向けて縦断面視で凹形の円筒状の窪み(11a) が設けられている。
【００４２】
この凹形の窪み(11a) の底部は、その中央領域のみを下方側に向けて厚くしてあり（厚み２mm）、そこに孔部(11b) を下側が大径となる笠状に形成してある。孔部(11b) の上端の径は３mmφ、下端の径は 3.6mmφに設計してある。孔部(11b)
の最狭部（上端）の径は
、中容器(2) のノズル(2a)の先端側が挿通可能な孔径を有している。
【００４３】
凹形の窪み(11a) の下部側の内面には、３条の凸条の抵抗部(R) を縦方向に等間隔に形成してある。それぞれの凸条は、厚みが 0.1mm、巾が 0.3mmとなるように設計してある。
【００４４】
ピン(12a) 付き押込体(12)の胴部(12b) の形状は、図４のように円筒状としてある。押込体(12)の頭部(12c) は、胴部(12b) よりもやや大きい鍔部に形成してあり、鍔部の外周は指先でつまむことができるように粗面化加工してある。押込体(12)の胴部(12b) の下半は中空円筒状に形成してあり、押込体(12)の成形時に埋め込んだピン(12a) の尖端が、その中空部を経て胴部(12b) の下端から若干下方に顔を出すようにしてある。
【００４５】
このピン(12a) 付き押込体(12)は、キャップ本体(11)の凹形の窪み(11a) にスライドは可能であるが弛まないように内嵌されるようにしてあるが、図７〜８のように凹形の窪み(11a) の下部側の内面に抵抗部(R) を形成してあるので、組み立て作業時に凹形の窪み(11a) に押込体(12)を一定の力で押し込むと、抵抗部(R) で自然に係止し、図３の（イ）の状態になる。このとき、中容器(2) のノズル(2a)は、図３の（イ）のように、キャップ本体(11)の凹形の窪み(11a) の底部に設けてある孔部(11b) から上方に顔を出しているものの、押込体(12)のピン(12a) の尖端とは少し離れた状態にある。
【００４６】
そして最初の使用にあたり押込体(12)をさらに押し込むと、押込体(12)はぐらつかないで真直に押し込まれ、図３の（ロ）のように中容器(2) のノズル(2a)の先端にピン(12a) が突き刺さってノズル(2a)先端が開口される。中容器(2) のノズル(2a)は、キャップ本体(11)の凹形の窪み(11a) の孔部(11b) により位置決めされているので、ピン(12a) によるノズル(2a)先端の開口は確実になされる。以下の操作は、作用の項で述べたようにして行えばよい。
【００４７】
【発明の効果】
本発明にあっては、外装ケース(3) 内にノズル(2a)付き中容器(2) が収容された二重構造の接着剤容器の良さがそのまま生かされる。すなわち、中容器(2) が保護される上、ソフトなタッチで適量の吐出を切れよく行うことができる。
【００４８】
そしてその容器のキャップ(3) に特別の工夫が加えられているので、最初の使用時のピン(12a) による中容器(2) のノズル(2a)の開口が著しく容易になっており、また使用後の保管中のノズル(2a)先端部における接着剤の固化も防止できる。さらには、ピン(12a) 付き押込体(12)が紛失することはなく、またピン(12a) で手指の突き刺すような危険が皆無となる。
【図面の簡単な説明】
【図１】  本発明のキャップ(1) を係合した状態の接着剤容器の正面図であり、一部を断面図で示してある。
【図２】  図１の接着剤容器の側面図である。
【図３】  図１の接着剤容器の要部の拡大断面図であり、（イ）は押込体(12)を途中まで押し込んだ状態、（ロ）は押込体(12)を完全に押し込んだ状態を示してある。
【図４】  ピン(12a) 付き押込体(12)の一例を示した縦断面図である。
【図５】  キャップ本体(11)の正面図である。
【図６】  図５のキャップ本体(11)の縦断面図である。
【図７】  図６のキャップ本体(11)の凹形の窪み(11a) 部分の拡大図である。
【図８】  図７の凹形の窪み(11a) 部分を白抜き矢印方向から見たときの抵抗部(R) の位置を示した説明図である。
【符号の説明】
(1) …キャップ、
(11)…キャップ本体、
(11a) …凹形の窪み、(11b) …孔部、
(12)…押込体、
(12a) …ピン、(12b) …胴部、(12c) …頭部、
(R) …抵抗部、
(2) …中容器、
(2a)…ノズル、(2b)…首部、(2c)…胴部、(2d)…底部、
(3) …外装ケース、
(3a)…カバーヘッド、(3b)…首部、(3c)…胴部、(3d)…後部、(3e)…窪み
【図１】
0004058472.tif 000002
【図２】
0004058472.tif 000003
【図３】
0004058472.tif 000004
【図４】
0004058472.tif 000005
【図５】
0004058472.tif 000006
【図６】
0004058472.tif 000007
【図７】
0004058472.tif 000008
【図８】
0004058472.tif 000009